(57)【要約】  【課題】  演奏される楽曲に合わせて変化する図形をより見易く表示すること。  【解決手段】  演奏される楽曲に合わせて変化する図形を生成する図形生成部１３と、表示装置４に図形を表示する表示部１５と、背景のうちの図形が表示される領域の近傍に図形の図形色に類似する類似色が配置されるときに、図形が表示される背景と図形とを隔離する枠図形を生成する枠生成部１４とを備えている。その枠図形は、その図形色と異なる色で表示される。表示部１５は、近傍に類似色が配置されるときに、表示装置４に枠を更に表示する。このとき、その図形は、その枠が表示されないときよりより見易い。  【選択図】図２
2005070210.tif 000002
【特許請求の範囲】
【請求項１】
演奏される楽曲に合わせて変化する図形を生成する図形生成部と、
表示装置に前記図形を表示する表示部と、
前記背景のうちの前記図形が表示される領域の近傍に前記図形の図形色に類似する類似色が配置されるときに、前記図形が表示される背景と前記図形とを隔離する枠図形を生成する枠生成部とを具備し、
前記表示部は、前記近傍に前記類似色が配置されるときに、前記表示装置に前記枠図形を更に表示する
電子楽器。
【請求項２】
請求項１において、
前記図形は、前記楽曲を構成する楽音が出力されるタイミングを指示する
電子楽器。
【請求項３】
請求項２において、
前記図形は、前記楽曲を表現する楽譜に記入される符号であり、
前記図形生成部は、前記楽曲を構成する楽音が出力されるときに、前記符号のうちの前記楽音に対応する対応符号の色を変更する
電子楽器。
【請求項４】
請求項２において、
前記図形は、前記楽曲に対応付けられた歌詞を表現する文字であり、
前記図形生成部は、前記楽曲を構成する楽音が出力されるときに、前記文字のうちの前記楽音に対応する対応文字の色を変更する
電子楽器。
【請求項５】
請求項１〜請求項４のいずれかにおいて、
前記表示部は、
前記表示装置に表示される前画像のうちの前記図形により変化する変化部分を検索する更新部分監視部と、
前記図形を示す更新部分を生成する更新部分生成部と、
前記前画像のうちの前記変化部分を前記更新部分に置換して次画像を生成して、前記次画像を前記表示装置に表示する画像生成部とを備える
電子楽器。
【請求項６】
請求項５において、
前記表示装置に表示される画像は、
図形層画像と、
枠層画像と、
前記背景を示す背景層画像とが重ねられて生成され、
前記更新部分生成部は、
前記図形層画像のうちの前記図形により変化した図形部分と、
前記枠層画像のうちの前記枠図形により変化した枠部分と、
前記背景層画像のうちの前記変化部分に対応する背景部分とを重ねて前記更新部分を生成する
電子楽器。
【請求項７】
請求項１〜請求項６のいずれかにおいて、
前記図形生成部は、前記近傍に前記類似色が配置され、かつ、前記近傍に前記図形色と異なる色が配置されないときに、前記異なる色で前記図形を生成する
電子楽器。
【請求項８】
演奏される楽曲に合わせて変化する図形を生成するステップと、
前記図形が表示される背景のうちの前記図形が表示される領域の近傍に前記図形の図形色に類似する類似色が配置されないときに、前記図形を表示装置に表示するステップと、
前記近傍に前記類似色が配置されるときに、前記背景と前記図形とを隔離する枠図形を前記図形とともに前記表示装置に表示するステップ
とを具備する楽曲情報表示方法。
【請求項９】
請求項８において、
前記図形は、前記楽曲を構成する楽音が出力されるタイミングを指示する
楽曲情報表示方法。
【請求項１０】
請求項９において、
前記図形は、前記楽曲を表現する楽譜に記入される符号であり、
前記楽曲を構成する楽音が出力されるときに、前記符号のうちの前記楽音に対応する対応符号の色が変更される
楽曲情報表示方法。
【請求項１１】
請求項９において、
前記図形は、前記楽曲に対応付けられた歌詞を表現する文字であり、
前記楽曲を構成する楽音が出力されるときに、前記文字のうちの前記楽音に対応する対応文字の色が変更される
楽曲情報表示方法。
【請求項１２】
請求項８〜請求項１１のいずれかにおいて、
前記表示装置に表示される前画像のうちの前記図形により変化する変化部分を検索するステップと、
前記図形を示す更新部分を生成するステップと、
前記前画像のうちの前記変化部分を前記更新部分に置換して次画像を生成して、前記次画像を前記表示装置に表示するステップ
とを更に具備する楽曲情報表示方法。
【請求項１３】
請求項１２において、
前記表示装置に表示される画像は、
図形層画像と、
枠層画像と、
前記背景を示す背景層画像とが重ねられて生成され、
前記更新部分は、
前記図形層画像のうちの前記図形により変化した図形部分と、
前記枠層画像のうちの前記枠図形により変化した枠部分と、
前記背景層画像のうちの前記変化部分に対応する背景部分とが重ねられて生成される
楽曲情報表示方法。
【請求項１４】
請求項８〜請求項１３のいずれかにおいて、
前記近傍に前記類似色が配置され、かつ、前記近傍に前記図形色と異なる色が配置されないときに、前記異なる色で前記図形を生成するステップ
を具備する楽曲情報表示方法。
【発明の詳細な説明】
【技術分野】
【０００１】
本発明は、電子楽器及び楽曲情報表示方法に関し、特に、演奏される楽曲に合わせて、その楽曲に関する情報を表示する電子楽器及び楽曲情報表示方法に関する。
【背景技術】
【０００２】
演奏される楽曲を示す楽譜を表示する電子楽器が知られている。その電子楽器は、その楽譜に記入される音符の色を変化させることにより、その音符に対応する楽音が出力されるタイミングを分かりやすく指示している。このような電子楽器は、さらに、任意の背景を表示させることが望まれている。このとき、その楽譜に記入される符号は、同系統の色の背景の上に表示されたときに、見難いことがある。演奏される楽曲に合わせて変化する符号をより見易く表示する電子楽器が望まれている。
【０００３】
特開２００１−１００７３８号公報には、楽音の強さに応じて表示情報の大きさ、色または濃度が、または演奏情報の背景の色または濃度が切り換えられ、各楽音の強さを容易に知ることができる音楽情報表示装置が開示されている。
【０００４】
特開２００１−１３４２７３号公報には、カラオケの基本的役割を果たしながら、歌唱補助としてキャラクタ表示を効果的に用いるカラオケ装置が開示されている。そのカラオケ装置は、曲データを解読し時系列に並べ換え、指示されたタイミングで出力する。楽音合成装置は、楽音を合成し、歌詞出力制御装置は歌詞文字を色変わりさせる。背景画出力制御装置は、背景画に歌詞文字を上書きし出力する。キャラクタ出力制御装置は、キャラクタ制御パラメータ生成器で楽器演奏情報から抽出したパラメータに従って、キャラクタを出力し、演奏に合わせて指揮をするキャラクタを表示することにより、歌唱補助として機能させる。
【０００５】
【特許文献１】特開２００１−１００７３８号公報
【特許文献２】特開２００１−１３４２７３号公報
【発明の開示】
【発明が解決しようとする課題】
【０００６】
本発明の課題は、演奏される楽曲に合わせて変化する図形をより見易く表示する電子楽器及び楽曲情報表示方法を提供することにある。
本発明の他の課題は、演奏される楽曲に合わせて変化する図形をより見易く表示する画像をより速く作成する電子楽器及び楽曲情報表示方法を提供することにある。
【課題を解決するための手段】
【０００７】
以下に、発明を実施するための最良の形態・実施例で使用される符号を括弧付きで用いて、課題を解決するための手段を説明する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００８】
本発明による電子楽器（１）は、演奏される楽曲に合わせて変化する図形を生成する図形生成部（１３）と、表示装置（４）に図形を表示する表示部（１５）と、背景のうちの図形が表示される領域の近傍に図形の図形色に類似する類似色が配置されるときに、図形が表示される背景と図形とを隔離する枠図形を生成する枠生成部（１４）とを備えている。その枠図形は、その図形色と異なる色で表示される。表示部（１５）は、近傍に類似色が配置されるときに、表示装置（４）に枠を更に表示する。このとき、その図形は、その枠が表示されないときよりより見易い。表示部（１５）は、さらに、近傍に類似色が配置されないときに、表示装置（４）に枠を表示しないことが好ましい。
【０００９】
本発明による電子楽器（１）は、図形が楽曲を構成する楽音が出力されるタイミングを指示するときに適用されることが好ましい。
【００１０】
図形は、楽曲を表現する楽譜に記入される符号、すなわち、音符、休符である。このとき、図形生成部（１３）は、楽曲を構成する楽音が出力されるときに、符号のうちの楽音に対応する対応符号の色を変更することが好ましい。すなわち、その符号は、色が変化することにより、楽音が出力されるタイミングを指示している。
【００１１】
図形は、楽曲に対応付けられた歌詞を表現する文字である。このとき、図形生成部（１３）は、楽曲を構成する楽音が出力されるときに、文字のうちの楽音に対応する対応文字の色を変更することが好ましい。その文字は、色が変化することにより、楽音が出力されるタイミングを指示している。
【００１２】
表示部（１５）は、表示装置（４）に表示される前画像のうちのその図形により変化する変化部分を検索する更新部分監視部（１６）と、図形を示す更新部分を生成する更新部分生成部（１７）と、前画像のうちの変化部分を更新部分に置換して次画像を生成して、次画像を表示装置（４）に表示する画像生成部（１８）とを備えている。このとき、次画像は、画像の全体を新規に生成することより、速く生成されて表示されることができる。
【００１３】
表示装置（４）に表示される画像は、図形層画像と、枠層画像と、背景を示す背景層画像とが重ねられて生成されている。このとき、更新部分生成部（１７）は、図形層画像のうちの図形により変化した図形部分と、枠層画像のうちの枠図形により変化した枠部分と、背景層画像のうちの変化部分に対応する背景部分とを重ねて更新部分を生成する。このとき、更新部分は、より速く生成されて表示されることができる。
【００１４】
図形生成部（１３）は、近傍に類似色が配置され、かつ、近傍に図形色と異なる色が配置されないときに、異なる色で図形を生成することが好ましい。
【００１５】
本発明による楽曲情報表示方法は、演奏される楽曲に合わせて変化する図形を生成するステップ（Ｓ１）と、図形が表示される背景のうちの図形が表示される領域の近傍に図形の図形色に類似する類似色が配置されないときに、図形を表示装置（４）に表示するステップ（Ｓ２、Ｓ６、Ｓ７、Ｓ８）と、近傍に類似色が配置されるときに、背景と図形とを隔離する枠図形を図形とともに表示装置（４）に表示するステップ（Ｓ２、Ｓ５、Ｓ６、Ｓ７、Ｓ８）とを備えている。このとき、その図形は、近傍に類似色が配置されるときに、その枠が表示されないときよりより見易い。その枠は、さらに、近傍に類似色が配置されないときに、表示されないことが好ましい。
【００１６】
本発明による楽曲情報表示方法は、図形が楽曲を構成する楽音が出力されるタイミングを指示するときに適用されることが好ましい。
【００１７】
図形は、楽曲を表現する楽譜に記入される符号、すなわち、音符、休符である。このとき、楽曲を構成する楽音が出力されるときに、符号のうちの楽音に対応する対応符号の色が変更されることが好ましい。すなわち、その符号は、色が変化することにより、楽音が出力されるタイミングを指示している。
【００１８】
図形は、楽曲に対応付けられた歌詞を表現する文字であり、楽曲を構成する楽音が出力されるときに、文字のうちの楽音に対応する対応文字の色が変更される。すなわち、その文字は、色が変化することにより、楽音が出力されるタイミングを指示している。
【００１９】
本発明による楽曲情報表示方法は、表示装置（４）に表示される前画像のうちの図形により変化する変化部分を検索するステップ（Ｓ６）と、図形を示す更新部分を生成するステップ（Ｓ７）と、前画像のうちの変化部分を更新部分に置換して次画像を生成して、次画像を表示装置（４）に表示するステップ（Ｓ８）とを更に備えている。このとき、次画像は、画像の全体を新規に生成することより、速く生成されて表示されることができる。
【００２０】
表示装置（４）に表示される画像は、図形層画像と、枠層画像と、背景を示す背景層画像とが重ねられて生成され、更新部分は、図形層画像のうちの図形により変化した図形部分と、枠層画像のうちの枠図形により変化した枠部分と、背景層画像のうちの変化部分に対応する背景部分とが重ねられて生成される。このとき、更新部分は、より速く生成されて表示されることができる。
【００２１】
本発明による楽曲情報表示方法は、近傍に類似色が配置され、かつ、近傍に図形色と異なる色が配置されないときに、異なる色で図形を生成するステップ（Ｓ３、Ｓ４）を備えていることが好ましい。
【発明の効果】
【００２２】
本発明による電子楽器及び楽曲情報表示方法は、演奏される楽曲に合わせて変化する図形をより見易く表示することができる。
【発明を実施するための最良の形態】
【００２３】
図面を参照して、本発明による電子楽器の実施の形態を説明する。その電子楽器１は、図１に示されているように、電子楽器本体２と入力装置３と表示装置４とスピーカ５とを備えている。電子楽器本体２は、情報処理装置であり、インストールされたコンピュータプログラムを実行して、入力装置３と表示装置４とスピーカ５とを制御する。入力装置３は、ユーザに操作され、その操作内容を電子楽器本体２に出力する。表示装置４は、表示面を有し、電子楽器本体２が作成した映像をその表示面に表示する。表示装置４としては、液晶ディスプレイが例示される。スピーカ５は、電子楽器本体２が作成した音声を出力する。
【００２４】
図２は、表示装置４の表示面に表示される画像を示している。その画像２１は、合同である複数の画素が水平方向と垂直方向とに格子状に配置されて形成されている。その画素は、それぞれ、１つの色を示し、赤緑青の３色の色の濃さをそれぞれ示す３つの濃度値から表現されている。画像２１は、さらに、背景層画像と枠層画像と図形層画像とが重ねられて形成されている。その背景層画像と枠層画像と図形層画像とは、それぞれ、画像２１を形成する複数の画素に対応する複数の画素から形成されている。
【００２５】
その枠層画像または図形層画像を形成する画素は、透明色を示すことができる。画像２１の１つの画素は、対応する図形層画像の画素が透明色以外の色を示すときに、その図形層画像の画素が示す色を示している。画像２１の画素は、対応する図形層画像の画素が透明色を示すときに、対応する枠層画像の画素が示す色を示している。画像２１の画素は、対応する図形層画像の画素が透明色を示し、対応する枠層画像の画素が透明色を示すときに、対応する背景層画像の画素が示す色を示している。すなわち、画像２１は、背景層画像に枠層画像が上書きされて、その枠層画像に図形層画像がさらに上書きされて形成されている。
【００２６】
画像２１は、複数の領域２２−１〜２２−ｎ（ｎ＝２，３，４，…）に分割されている。背景層画像と枠層画像と図形層画像とは、画像２１と同様にして、複数の領域２２−１〜２２−ｎに分割されている。各領域２２−ｉ（ｉ＝１，２，３，…，ｎ）は、画像２１に表示される１つの記号（図形、文字、符号）が１つだけ入る大きさである。
【００２７】
図３は、電子楽器本体２を示している。電子楽器本体２は、コンピュータプログラムである演奏部１１と背景生成部１２と図形生成部１３と枠生成部１４と表示部１５とをインストールしている。
【００２８】
演奏部１１は、複数の楽曲を記録し、ユーザの操作により選択された１つの楽曲をスピーカ５を介して出力する。演奏部１１は、または、入力装置３の鍵盤のうちのユーザにより打鍵された鍵に対応する楽音を出力する。
【００２９】
背景生成部１２は、複数の背景画像を記憶し、ユーザの操作により選択された１つの背景画像を背景層画像に記載する。その背景画像は、任意の画像を適用することができ、複数の系統の色を用いたカラフルな画像を適用することができる。その背景画像としては、楽譜、譜表、幾何学模様、風景画、肖像画が例示される。
【００３０】
図形生成部１３は、演奏部１１により演奏される楽曲に合わせて変化する図形を図形層画像に記載する。その図形としては、演奏部１１により演奏される楽曲に対応付けられた歌詞を示す文字、その楽曲を示す楽譜に記入される音符・休符、その文字・音符・休符を指示する矢印・ボールが例示される。すなわち、図形生成部１３は、歌詞を示す文字列を図形層画像に記載し、楽曲を構成する楽音が出力されることと概ね同時に、その楽音に対応する文字の色を変更して図形層画像に記載する。または、図形生成部１３は、背景層画像に譜表が記載されているときに、楽譜に記入される音符、休符を図形層画像に記載し、楽曲を構成する楽音が出力されることと概ね同時に、その楽音に対応する符号の色を変更して図形層画像に記載する。または、図形生成部１３は、背景層画像に楽譜が記載されているときに、楽曲を構成する楽音が出力されることと概ね同時に、その楽音に対応する符号を指示する矢印を図形層画像に記載する。または、図形生成部１３は、背景層画像に歌詞が記載されているときに、楽曲を構成する楽音が出力されることと概ね同時に、その楽音に対応する文字を指示する矢印を図形層画像に記載する。
【００３１】
なお、図形生成部１３により記載される図形としては、さらに、音色を示す記号、リズムを示す記号、エフェクトを示す記号が例示される。このとき、図形生成部１３は、楽音が出力されることと概ね同時に、その楽音の音色を示す記号を図形層画像に記載する。図形生成部１３は、楽曲のうちの演奏される部分に用いられているリズムを示す記号を図形層画像に記載し、その部分に用いられているエフェクトを示す記号を図形層画像に記載する。
【００３２】
図形生成部１３は、さらに、背景層画像のうちその図形が表示される領域の近傍にその図形の色に類似する色が配置されているときに、色を変えてその図形を図形層画像に記載する。図形生成部１３は、その近傍に配置されている複数の色にそれぞれ類似しない色がないときに、すなわち、その近傍に複数の系統の色が配置されているときに、予め設定された色でその図形を図形層画像に記載する。
【００３３】
枠生成部１４は、図形生成部１３により記載された図形が見難いときに、すなわち、その図形の色に類似する色が背景層画像のうちその図形が配置される領域の近傍に配置されているときに、その図形を囲む枠を枠層画像に記載する。その枠は、その図形の色と異なる色から形成されている。枠生成部１４は、図形生成部１３により記載された図形が見難くないときに、その図形の周囲に透明色が配置される枠層画像を生成する。
【００３４】
表示部１５は、その背景層画像と図形層画像と枠層画像とを合成して画像２１を生成し、画像２１を表示装置４に表示する。表示部１５は、コンピュータプログラムである更新部分監視部１６と更新部分生成部１７と画像生成部１６とを備えている。
【００３５】
更新部分監視部１６は、図形層画像と枠層画像とを監視して、その図形層画像と枠層画像とのうち更新された領域２２−ｉを抽出する。更新部分生成部１７は、更新部分監視部１６により抽出された領域２２−ｉに対応する背景層画像と図形層画像と枠層画像との部分を合成して、画像２１の部分を生成する。画像生成部１６は、更新前の画像の更新部分監視部１６により抽出された領域２２−ｉの部分を更新部分生成部１７により生成された画像部分に置換して新しい画像を生成して、その画像を表示装置４に表示する。
【００３６】
図４は、図形生成部１３により生成される図形層画像の一部分を示している。その画像部分３１は、１つの領域２２−ｉに対応し、図形部分３２と透明部分３３とから形成されている。図形部分３２は、図形生成部１３により生成される図形、文字または符号を示し、透明色以外の色で形成されている。透明部分３３は、画像部分３１の図形部分３２以外の部分であり、透明色で形成されている。
【００３７】
図５は、図形生成部１３により画像部分３１が生成されるときに、枠生成部１４により生成される枠層画像の一部分の実施の形態を示している。その画像部分３４は、１つの領域２２−ｉに対応し、図形部分３５と枠部分３６と透明部分３７とから形成されている。図形部分３５は、図４の図形部分３２に対応する部分であり、任意の色で形成される。透明部分３７は、透明色で形成されている。枠部分３６は、図形部分３５の周りに配置され、図形部分３５と透明部分３７とを隔離する部分であり、透明色以外の色であり図形部分３２と異なる色で形成されている。
【００３８】
図６は、図形生成部１３により画像３１が生成されるときに、枠生成部１４により生成される画像の一部分の実施の他の形態を示している。その画像部分３８は、１つの領域２２−ｉに対応し、図形部分３９と枠部分４０とから形成されている。図形部分３９は、図４の図形部分３２に対応する部分であり、任意の色で形成される。枠部分４０は、画像部分３１の図形部分３２以外の部分であり、透明色以外の色であり図形部分３２と異なる色で形成されている。
【００３９】
本発明による電子楽器方法の実施の形態は、電子楽器１により実行され、楽曲を演奏する動作と、その演奏に合わせて変化する図形を表示する動作とを備えている。その楽曲を演奏する動作の実施の形態は、電子楽器１が、記録されている複数の楽曲のうちからユーザの操作により選択された１つの楽曲を出力する。または、電子楽器１は、入力装置３の鍵盤のうちのユーザにより打鍵された鍵に対応する楽音を出力する。
【００４０】
図７は、その演奏に合わせて変化する図形を表示する動作を示している。この動作は、繰り返して実行される。電子楽器１は、初期的に、演奏される楽曲に付けられた歌詞を背景画像の上に表示している。電子楽器１は、まず、楽曲のある楽音が出力されることと概ね同時に、歌詞のうちその楽音に対応する文字であり、最初に表示されていた色と異なる色の文字を生成する（ステップＳ１）。電子楽器１は、その文字が背景により見難くなるときに（ステップＳ２；ＹＥＳ）、その文字の周りの背景に１つの系統の色が用いられているか複数の系統の色が用いられているかを判別する（ステップＳ３）。電子楽器１は、その背景に１つの系統の色が用いられているときに（ステップＳ３；ＹＥＳ）、歌詞のうちその楽音に対応する文字であり、その系統と異なる色であり予め設定された色と異なる色の文字を生成する（ステップＳ４）。電子楽器１は、その背景に複数の系統の色が用いられているときに（ステップＳ３；ＮＯ）、その文字の周りに配置される枠を生成する（ステップＳ５）。
【００４１】
電子楽器１は、初期的に演奏される楽曲を示す楽譜を表示装置４に表示しているときに、まず、楽曲のある楽音が出力されることと概ね同時に、その楽音に対応する音符であり、最初に表示されていた色と異なる色の音符を生成する（ステップＳ１）。電子楽器１は、その音符が背景により見難くなるときに（ステップＳ２；ＹＥＳ）、その音符の周りの背景に１つの系統の色が用いられているか複数の系統の色が用いられているかを判別する（ステップＳ３）。電子楽器１は、その背景に１つの系統の色が用いられているときに（ステップＳ３；ＹＥＳ）、その楽音に対応する音符であり、その系統と異なる色であり予め設定された色と異なる色の音符を生成する（ステップＳ４）。電子楽器１は、その背景に複数の系統の色が用いられているときに（ステップＳ３；ＮＯ）、その音符の周りに配置される枠を生成する（ステップＳ５）。
【００４２】
電子楽器１は、初期的に演奏される楽曲を示す楽譜またはその楽曲に付けられた歌詞を表示装置４に表示しているときに、まず、楽曲のある楽音が出力されることと概ね同時に、その楽音に対応する音符・歌詞を指示する矢印を生成する（ステップＳ１）。電子楽器１は、その矢印が背景により見難くなるときに（ステップＳ２；ＹＥＳ）、その矢印の周りの背景に１つの系統の色が用いられているか複数の系統の色が用いられているかを判別する（ステップＳ３）。電子楽器１は、その背景に１つの系統の色が用いられているときに（ステップＳ３；ＹＥＳ）、その系統と異なる色であり予め設定された色と異なる色の矢印を生成する（ステップＳ４）。電子楽器１は、その背景に複数の系統の色が用いられているときに（ステップＳ３；ＮＯ）、その矢印の周りに配置される枠を生成する（ステップＳ５）。
【００４３】
電子楽器１は、さらに、ある楽音が出力されることと概ね同時にその楽音の音色を示す記号を生成し、演奏中の楽曲に用いられているリズムおよびエフェクトを示す記号を生成する（ステップＳ１）。電子楽器１は、その記号が背景により見難くなるときに（ステップＳ２；ＹＥＳ）、その記号の周りの背景に１つの系統の色が用いられているか複数の系統の色が用いられているかを判別する（ステップＳ３）。電子楽器１は、その背景に１つの系統の色が用いられているときに（ステップＳ３；ＹＥＳ）、その系統と異なる色であり予め設定された色と異なる色の記号を生成する（ステップＳ４）。電子楽器１は、その背景に複数の系統の色が用いられているときに（ステップＳ３；ＮＯ）、その記号の周りに配置される枠を生成する（ステップＳ５）。
【００４４】
電子楽器１は、生成された図形が見難くないときに（ステップＳ２；ＮＯ、Ｓ４）、または、その図形の周りに枠を生成した後に（ステップＳ５）、表示される画像のうちその生成された図形により変化する領域２２−ｉを抽出する（ステップＳ６）。電子楽器１は、その領域２２−ｉに対応する背景層画像と図形層画像と枠層画像との部分を合成して、画像の部分を生成する（ステップＳ７）。電子楽器１は、さらに、更新前の画像の更新部分監視部１６により抽出された領域２２−ｉの部分を更新部分生成部１７により生成された画像部分に置換して生成された画像を表示装置４に表示する（ステップＳ８）。このような動作により、電子楽器１は、その図形を表示する画像をより速く作成することができる。
【００４５】
このような動作によれば、演奏される楽曲に合わせて変化する図形は、より見易く表示される。この結果、電子楽器１は、楽曲を構成する各楽音が出力されるタイミングをより見易く表示することができ、楽曲に付けられた歌詞が発音されるタイミングをより見易く表示することができる。
【図面の簡単な説明】
【００４６】
【図１】図１は、本発明による電子楽器の実施の形態を示すブロック図である。
【図２】図２は、表示装置に表示される画像を示す図である。
【図３】図３は、電子楽器本体を示すブロック図である。
【図４】図４は、図形層画像の一部分の実施の形態を示す図である。
【図５】図５は、枠層画像の一部分の実施の形態を示す図である。
【図６】図６は、枠層画像の一部分の実施の他の形態を示す図である。
【図７】図７は、演奏に合わせて変化する図形を表示する動作を示すフローチャートである。
【符号の説明】
【００４７】
１  ：電子楽器
２  ：電子楽器本体
３  ：入力装置
４  ：表示装置
５  ：スピーカ
１１：演奏部
１２：背景生成部
１３：図形生成部
１４：枠生成部
１５：表示部
１６：更新部分監視部
１７：更新部分生成部
１８：画像生成部
２１：画像
２２−１〜２２−ｎ：領域
３１：画像部分
３２：図形部分
３３：透明部分
３４：画像部分
３５：図形部分
３６：枠部分
３７：透明部分
３８：画像部分
３９：図形部分
４０：枠部分
【図１】
2005070210.tif 000003
【図２】
2005070210.tif 000004
【図３】
2005070210.tif 000005
【図４】
2005070210.tif 000006
【図５】
2005070210.tif 000007
【図６】
2005070210.tif 000008
【図７】
2005070210.tif 000009